(57)【特許請求の範囲】
【請求項１】
移動局が、無線基地局によって割り当てられる上り無線リソースを用いて、該無線基地局に対して、上りデータを送信するように構成されている移動通信システムであって、
前記無線基地局が、複数回の所定回数、前記移動局に対して前記上り無線リソースを割り当てた場合、該移動局は、割り当てられた前記上り無線リソースを用いて、該無線基地局に対して、該移動局の送信バッファに滞留されているデータ量を報告するように構成されていることを特徴とする移動通信システム。
【請求項２】
前記無線基地局は、前記移動局に対して、前記所定回数を指定するように構成されていることを特徴とする請求項１に記載の移動通信システム。
【請求項３】
無線基地局によって割り当てられる上り無線リソースを用いて、該無線基地局に対して、上りデータを送信するように構成されている移動局であって、
前記無線基地局が、複数回の所定回数、前記移動局に対して前記上り無線リソースを割り当てた場合、割り当てられた前記上り無線リソースを用いて、該無線基地局に対して、該移動局の送信バッファに滞留されているデータ量を報告するように構成されていることを特徴とする移動局。
【請求項４】
前記所定回数は、前記無線基地局によって指定されるように構成されていることを特徴とする請求項３に記載の移動局。
【発明の詳細な説明】
【技術分野】
【０００１】
本発明は、移動通信システム、移動局及び無線基地局に関する。
【背景技術】
【０００２】
第３世代移動通信システムの国際標準化団体である３ＧＰＰでは、無線基地局ｅＮＢから移動局ＵＥへデータを送信する下りリンクと、移動局ＵＥから無線基地局ｅＮＢへデータを送信する上りリンクにおいて、ピーク伝送速度、伝送効率及び伝送遅延のそれぞれについて、大幅な向上を実現するために必要な無線アクセス方式及び無線アクセスネットワークについて検討しており、現在、かかる検討について精力的に標準仕様を策定している。
【０００３】
かかる検討及び検討された技術は、Ｅｖｏｌｖｅｄ  ＵＴＲＡ若しくはＬｏｎｇ  Ｔｅｒｍ  Ｅｖｏｌｕｔｉｏｎ（ＬＴＥ）等と称されている。
【０００４】
ＬＴＥでは、上りリンクの無線リソース制御方法として、無線基地局ｅＮＢと移動局ＵＥとの間で終端される物理レイヤ及びＭＡＣサブレイヤにおいて高速な上り無線リソース割当制御が仕様化されつつある。
【０００５】
具体的に、無線基地局ｅＮＢにおける上りスケジューラは、サブフレーム（或いは、ＴＴＩ）毎に、上り無線リソースを割り当てる移動局ＵＥと、当該移動局ＵＥに対して割り当てる物理リソース（周波数リソース）と、当該移動局に対して送信を許可するデータ量とを決定し、Ｌ１/Ｌ２  ｃｏｎｔｒｏｌ  ｃｈａｎｎｅｌ（ＵＬ  ｇｒａｎｔ）を送信することによって、それらの決定内容を移動局ＵＥに通知するように構成されている。
【０００６】
この際、無線基地局ｅＮＢは、上り無線リソースのスケジューリングを効率良く行うためには、移動局ＵＥにおける（上りデータ用）送信バッファに滞留されているデータ量を把握する必要がある。
【０００７】
ＬＴＥでは、移動局ＵＥが、かかるデータ量を「Ｂｕｆｆｅｒ  Ｓｔａｔｕｓ  Ｒｅｐｏｒｔ」として、無線基地局ｅＮＢに対して、当該無線基地局ｅＮＢによって当該移動局に対して個別に割り当てられた上り無線リソースを用いて報告するように構成されている。
【０００８】
ここで、「Ｂｕｆｆｅｒ  Ｓｔａｔｕｓ  Ｒｅｐｏｒｔ」が送信される上り無線リソースとは、具体的には、上り共有チャネル（ＵＬ-ＳＣＨ）であり、無線基地局ｅＮＢは、Ｌ１/Ｌ２  ｃｏｎｔｒｏｌ  ｃｈａｎｎｅｌ（ＵＬ  ｇｒａｎｔ）を用いて、移動局ＵＥに対して、ＵＬ-ＳＣＨの割り当てを行うように構成されている。
【０００９】
さらに、「Ｂｕｆｆｅｒ  Ｓｔａｔｕｓ  Ｒｅｐｏｒｔ」の中身としては、無線ベアラ（Ｒａｄｉｏ  Ｂｅａｒｅｒ）又は論理チャネル（Ｌｏｇｉｃａｌ  Ｃｈａｎｎｅｌ）群毎の移動局ＵＥの送信バッファに滞留されているデータ量を示すことが決まっている。
【非特許文献１】３ＧＰＰ  ＴＳ３６．３００
【非特許文献２】３ＧＰＰ  ＴＳ３６．３２１
【発明の開示】
【発明が解決しようとする課題】
【００１０】
しかしながら、ＬＴＥにおいて、移動局ＵＥが「Ｂｕｆｆｅｒ  Ｓｔａｔｕｓ  Ｒｅｐｏｒｔ」を無線基地局ｅＮＢに対して送信する契機はまだ決まっていない。
【００１１】
一方で、３ＧＰＰが既に標準仕様を策定済みであるＥＵＬ（Ｅｎｈａｎｃｅ  Ｕｐｌｉｎｋ）においても、無線基地局ｅＮＢと移動局ＵＥとの間で、同じような高速な上り無線リソース割当制御は行われる。
【００１２】
さらに、ＥＵＬでも同じように、移動局ＵＥの送信バッファに滞留されているデータ量を「Ｓｃｈｅｄｕｌｉｎｇ  Ｉｎｆｏｒｍａｔｉｏｎ」として無線基地局ｅＮＢに報告する技術が仕様化されている。
【００１３】
「Ｓｃｈｅｄｕｌｉｎｇ  Ｉｎｆｏｒｍａｔｉｏｎ」では、移動局ＵＥの送信バッファに滞納されている（全論理チャネルの）全データ量と、移動局ＵＥの送信バッファに滞留されているデータのうち、最も優先度が高い論理チャネルのデータ量及び当該論理チャネルの識別子を報告することになっている。
【００１４】
また、「Ｓｃｈｅｄｕｌｉｎｇ  Ｉｎｆｏｒｍａｔｉｏｎ」の報告契機として、以下のタイミングが規定されている。
１．移動局ＵＥの送信バッファが空であった際に、新たなデータが発生したタイミング。
２．移動局ＵＥの送信バッファに、それまで滞留されていたデータが属する論理チャネルよりも優先度の高い論理チャネルのデータが新たに発生したタイミング。
３．無線基地局ｅＮＢにより割り当てられた上り無線リソースによって、全てのデータを送信できた上に「Ｓｃｈｅｄｕｌｉｎｇ  Ｉｎｆｏｒｍａｔｉｏｎ」も送信できるタイミング。
４．移動局ＵＥにおけるタイマーが満了したタイミング。
【００１５】
ＬＴＥにおいても、ＥＵＬと同じような「Ｂｕｆｆｅｒ  Ｓｔａｔｕｓ  Ｒｅｐｏｒｔ」の送信契機を採用することが考えられる。
【００１６】
実際に、上述の１〜３の送信契機は、移動局ＵＥの送信バッファ（若しくは、特定の無線ベアラ群の送信バッファ）が空であった状態からデータが発生する状態への変化と、移動局ＵＥの送信バッファが空でない状態から空になる状態への変化を、タイムリーに無線基地局ｅＮＢの上りスケジューラに通知するために必要であると思われる。
【００１７】
これらの契機以外に、移動局ＵＥの送信バッファが空でない状態において、上りデータ送信による滞留データ量の減少或いは新規データ発生による滞留データ量の増幅等、移動局ＵＥの送信バッファに滞留されているデータ量の変動を無線基地局ｅＮＢに伝える契機が必要となる。
【００１８】
ＥＵＬでは、この移動局ＵＥの送信バッファが空ではない状態における滞留データ量の変動を報告させる契機として、上述のタイマーを採用している。
【００１９】
具体的に、ＥＵＬでは、移動局ＵＥは、無線基地局ｅＮＢに対して「Ｓｃｈｅｄｕｌｉｎｇ  Ｉｎｆｏｒｍａｔｉｏｎ」を送信した場合に、かかるタイマーを起動し、送信バッファが空になった場合に、かかるタイマーを停止し、かかるタイマーが満了した場合、「Ｓｃｈｅｄｕｌｉｎｇ  Ｉｎｆｏｒｍａｔｉｏｎ」を無線基地局ｅＮＢに対して送信する方式を採用している。
【００２０】
その結果、ＥＵＬでは、移動局ＵＥの送信バッファにデータが滞留されている間は、移動局ＵＥが、周期的に「Ｓｃｈｅｄｕｌｉｎｇ  Ｉｎｆｏｒｍａｔｉｏｎ」を無線基地局ｅＮＢに対して送信するように構成されている。
【００２１】
ＬＴＥでもＥＵＬと同じようなタイマー用いる制御が考えられるが、ＬＴＥの上りリンク（ｕｐｌｉｎｋ）とＥＵＬとでは、決定的に異なる点があり、ＬＴＥで用いられているように、タイマーベースで、「Ｂｕｆｆｅｒ  Ｓｔａｔｕｓ  Ｒｅｐｏｒｔ」の送信契機を設定することは望ましくないと考えられる。
【００２２】
具体的には、ＥＵＬは、移動局ＵＥに対して「Ｓｃｈｅｄｕｌｉｎｇ  Ｉｎｆｏｒｍａｔｉｏｎ」を送信するリソースが常に確保されているシステムであるのに対し、ＬＴＥは、移動局ＵＥに対して「Ｂｕｆｆｅｒ  Ｓｔａｔｕｓ  Ｒｅｐｏｒｔ」を送信するリソースが確保されていないシステムであるという違いがある。
【００２３】
この違いは、ＥＵＬが、ＣＤＭＡベースの非直交アクセスを採用しており、ＬＴＥの上りリンクは、ＦＤＭＡベースの直交アクセスを採用していることに起因する。
【００２４】
具体的には、ＥＵＬでは、複数の移動局ＵＥが、ＣＤＭＡによって同じ周波数帯域を用いて上り送信を行うことができるため、ある移動局が、割り当てられている無線リソースを使用しなくても、他の移動局が、その分、同じ周波数帯域で無線リソースを活用できるため、たまにしか発生しない「Ｓｃｈｅｄｕｌｉｎｇ  Ｉｎｆｏｒｍａｔｉｏｎ」のために、常に各移動局ＵＥに対して上り無線リソースを割り当てることが容易である。
【００２５】
反対に、ＬＴＥの上りリンクでは、ＦＤＭＡによって同じ時間では各移動局ＵＥに対して、それぞれ固有の周波数帯域が割り当てられるように構成されており、一度割り当てられた上り無線リソースを複数の移動局ＵＥ間で共有することは不可能であるため、たまにしか発生しない「Ｂｕｆｆｅｒ  Ｓｔａｔｕｓ  Ｒｅｐｏｒｔ」のために、常に無線リソースを割り当てると、無線リソースの無駄が生じてしまう。
【００２６】
つまり、ＬＴＥにおいて、ＥＵＬと同様なタイマーを用いて、周期的に、移動局ＵＥに「Ｂｕｆｆｅｒ  Ｓｔａｔｕｓ  Ｒｅｐｏｒｔ」を送信させる方式を採用すると、無線基地局ｅＮＢは、その都度、Ｌ１/Ｌ２  ｃｏｎｔｒｏｌ  ｃｈａｎｎｅｌ（ＵＬ  ｇｒａｎｔ）を用いたＵＬ-ＳＣＨの割当を行う必要があり、上り無線リソース及び下り無線リソースを無駄に消費してしまう可能性がある。
【００２７】
具体的には、無線基地局ｅＮＢにおける上りスケジューラが、特定の移動局ＵＥに対する上り無線リソースの割当をあえて行っていない時に、移動局ＵＥが、周期的に「Ｂｕｆｆｅｒ  Ｓｔａｔｕｓ  Ｒｅｐｏｒｔ」を送信してくると、Ｌ１/Ｌ２  ｃｏｎｔｒｏｌ  ｃｈａｎｎｅｌ（ＵＬ  ｇｒａｎｔ）の送信により、下り無線リソースを消費し、また、「Ｂｕｆｆｅｒ  Ｓｔａｔｕｓ  Ｒｅｐｏｒｔ」送信用のＵＬ-ＳＣＨの割当により、上り無線リソースを消費するが、これらは、無断な無線リソースの消費となる。
【００２８】
ここで、無線基地局ｅＮＢスケジューラが、特定の移動局ＵＥに対して、一定時間、上り無線リソースを割り当てないという判断を行う理由としては、当該特定の移動局ＵＥとの間の上り無線リンクの無線品質が悪いためという理由や、当該移動局ＵＥ対しては過去に比較的多めに上り無線リソースを割り当てているために、下記のあまり上り無線リソースを割り当てていない他の移動局に対して上り無線リソースを割り当てるためという理由や、当該移動局ＵＥの無線ベアラにマッピングされているデータの優先度（ＱｏＳ）が低いので、より優先度（ＱｏＳ）が高い他の無線ベアラにマッピングされているデータを有する移動局ＵＥに対して上り無線リソースを割り当てるためという理由等が考えられる。
【００２９】
そこで、本発明は、上述の課題に鑑みてなされたものであり、ＬＴＥの上りリンクにおいて、上り無線リソース及び下り無線リソースの無駄を回避しつつ、適切なタイミングで、「Ｂｕｆｆｅｒ  Ｓｔａｔｕｓ  Ｒｅｐｏｒｔ」の送信を可能とする移動通信システム、移動局及び無線基地局を提供することを目的とする。
【課題を解決するための手段】
【００３０】
本発明の第１の特徴は、移動局が、無線基地局によって割り当てられる上り無線リソースを用いて、該無線基地局に対して、上りデータを送信するように構成されている移動通信システムであって、前記無線基地局が、所定回数、前記移動局に対して前記上り無線リソースを割り当てた場合、該移動局は、割り当てられた前記上り無線リソースを用いて、該無線基地局に対して、該移動局の送信バッファに滞留されているデータ量を報告するように構成されていることを要旨とする。
【００３１】
本発明の第１の特徴において、前記無線基地局は、前記移動局に対して、前記所定回数を指定するように構成されていてもよい。
【００３２】
本発明の第２の特徴は、移動局が、無線基地局によって割り当てられる上り無線リソースを用いて、該無線基地局に対して、上りデータを送信するように構成されている移動通信システムであって、前記無線基地局が、前記移動局に対して前記上り無線リソースを割り当てた場合で、かつ、割り当てられた該上り無線リソースを通知するための該無線基地局から送信された上り無線リソース割当信号が、該移動局の送信バッファに滞留されているデータ量の報告を要求している場合、該移動局は、割り当てられた前記上り無線リソースを用いて、該無線基地局に対して、該移動局の送信バッファに滞留されているデータ量を報告するように構成されていてもよい。
【００３３】
本発明の第２の特徴において、前記上り無線リソース割当信号に含まれる１ビットを用いて、前記移動局の送信バッファに滞留されているデータ量の報告を要求するように構成されていてもよい。
【００３４】
本発明の第２の特徴において、前記上り無線リソース割当信号に含まれる１ビットは、前記送信バッファに滞留されているデータ量の報告を要求することを示す値、又は、該送信バッファに滞留されているデータ量の報告を要求しないこと示す値の２値を取り得るように構成されていてもよい。
【００３５】
本発明の第３の特徴は、無線基地局によって割り当てられる上り無線リソースを用いて、該無線基地局に対して、上りデータを送信するように構成されている移動局であって、前記無線基地局が、所定回数、前記移動局に対して前記上り無線リソースを割り当てた場合、割り当てられた前記上り無線リソースを用いて、該無線基地局に対して、該移動局の送信バッファに滞留されているデータ量を報告するように構成されていることを要旨とする。
【００３６】
本発明の第３の特徴において、前記所定回数は、前記無線基地局によって指定されるように構成されていてもよい。
【００３７】
本発明の第４の特徴は、無線基地局によって割り当てられる上り無線リソースを用いて、該無線基地局に対して、上りデータを送信するように構成されている移動局であって、前記無線基地局が、前記移動局に対して前記上り無線リソースを割り当てた場合で、かつ、割り当てられた該上り無線リソースを通知するための該無線基地局から送信された上り無線リソース割当信号が、該移動局の送信バッファに滞留されているデータ量の報告を要求している場合、割り当てられた前記上り無線リソースを用いて、該無線基地局に対して、該移動局の送信バッファに滞留されているデータ量を報告するように構成されていてもよい。
【００３８】
本発明の第４の特徴において、前記上り無線リソース割当信号に含まれる１ビットを用いて、前記移動局の送信バッファに滞留されているデータ量の報告を要求するように構成されていてもよい。
【００３９】
本発明の第４の特徴において、前記上り無線リソース割当信号に含まれる１ビットは、前記送信バッファに滞留されているデータ量の報告を要求することを示す値、又は、該送信バッファに滞留されているデータ量の報告を要求しないこと示す値の２値を取り得るように構成されていてもよい。
【００４０】
本発明の第５の特徴は、移動局が、無線基地局によって割り当てられる上り無線リソースを用いて、該無線基地局に対して、上りデータを送信するように構成されている移動通信システムで用いられる無線基地局であって、前記移動局に対して前記上り無線リソースを割り当てた場合に、割り当てられた該上り無線リソースを通知するための上り無線リソース割当信号に含まれる１ビットを用いて、該移動局の送信バッファに滞留されているデータ量の報告を要求ように構成されていることを要旨とする。
【００４１】
本発明の第５の特徴において、前記上り無線リソース割当信号に含まれる１ビットは、前記送信バッファに滞留されているデータ量の報告を要求することを示す値、又は、該送信バッファに滞留されているデータ量の報告を要求しないこと示す値の２値を取り得るように構成されていてもよい。
【発明の効果】
【００４２】
以上説明したように、本発明によれば、ＬＴＥの上りリンクにおいて、上り無線リソース及び下り無線リソースの無駄を回避しつつ、適切なタイミングで、「Ｂｕｆｆｅｒ  Ｓｔａｔｕｓ  Ｒｅｐｏｒｔ」の送信を可能とする移動通信システム、移動局及び無線基地局を提供することができる。
【発明を実施するための最良の形態】
【００４３】
（本発明の第１の実施形態に係る移動通信システム）
図１及び図２を参照して、本発明の第１の実施形態に係る移動通信システムについて説明する。本実施形態では、移動通信システムとして、ＬＴＥ方式の移動通信システムを例として説明するが、本発明は、ＬＴＥ方式の移動通信システム以外の移動通信システムにも適用可能である。
【００４４】
図１に示すように、本発明の第１の実施形態に係る移動通信システムでは、移動局ＵＥが、無線基地局ｅＮＢによって割り当てられる上り無線リソース（ＵＬ-ＳＣＨ）を用いて、無線基地局ｅＮＢに対して、上りデータ（上りユーザデータや「Ｂｕｆｆｅｒ  Ｓｔａｔｕｓ  Ｒｅｐｏｒｔ」等）を送信するように構成されている。
【００４５】
また、無線基地局ｅＮＢは、移動局ＵＥに対して、Ｌ１/Ｌ２  ｃｏｎｔｒｏｌ  ｃｈａｎｎｅｌ（ＵＬ  ｇｒａｎｔ）によって、ＵＬ-ＳＣＨ（上り無線リソース）の割当を通知するように構成されている。
【００４６】
また、無線基地局ｅＮＢが、所定回数（Ｎ）、移動局ＵＥに対して、上り無線リソースを割り当てた場合、移動局ＵＥは、割り当てられた上り無線リソースを用いて、無線基地局ｅＮＢに対して、移動局ＵＥの送信バッファに滞留されているデータ量を報告するように構成されている。
【００４７】
ここで、無線基地局ｅＮＢが、移動局ＵＥに対して、かかる所定回数（Ｎ）を指定するように構成されている。
【００４８】
次に、図２を参照して、本実施形態に係る移動通信システムにおける移動局ＵＥの動作について説明する。
【００４９】
図２に示すように、ステップＳ１０１において、移動局ＵＥは、サブフレーム毎に、ＵＬ-ＳＣＨ（上り無線リソース）の割当があるか否かについて確認し、ＵＬ-ＳＣＨの割当があると判断した場合は、図２に示すフローチャートに基づいて、無線基地局ｅＮＢによって割り当てられたＵＬ-ＳＣＨを用いて、「Ｂｕｆｆｅｒ  Ｓｔａｔｕｓ  Ｒｅｐｏｒｔ」を送信するか否かについて判断する。
【００５０】
ステップＳ１０２において、移動局ＵＥは、ＵＬ-ＳＣＨが割り当てられている場合、当該移動局ＵＥの内部で保持されているカウンタの値を、１つ増加させる。
【００５１】
ステップＳ１０３において、カウンタの値が、所定回数（Ｎ）と同じである場合、ステップＳ１０４において、移動局ＵＥは、割り当てられたＵＬ-ＳＣＨを用いて、「Ｂｕｆｆｅｒ  Ｓｔａｔｕｓ  Ｒｅｐｏｒｔ」を、上りユーザデータと共に無線基地局ｅＮＢに向けて送信する。
【００５２】
なお、移動局ＵＥは、割り当てられたＵＬ-ＳＣＨを用いて、上りユーザデータを送信できない場合は、「Ｂｕｆｆｅｒ  Ｓｔａｔｕｓ  Ｒｅｐｏｒｔ」のみを送信する。
【００５３】
「Ｂｕｆｆｅｒ  Ｓｔａｔｕｓ  Ｒｅｐｏｒｔ」の送信が完了した後、移動局ＵＥは、ステップＳ１０５において、カウンタの値をゼロに設定し、ステップＳ１０６及びＳ１０１において、次のサブフレームにおいて、再び、ＵＬ-ＳＣＨが割り当てられているかについて確認する。
【００５４】
一方、カウンタの値が、所定回数（Ｎ）と同じでない場合（すなわち、所定回数（Ｎ）より小さい場合）、ステップＳ１０７において、他の「Ｂｕｆｆｅｒ  Ｓｔａｔｕｓ  Ｒｅｐｏｒｔ」の送信契機を迎えていなければ、移動局ＵＥは、ステップＳ１０８において、割り当てられたＵＬ-ＳＣＨを用いて、上りユーザデータのみを送信し、ステップＳ１０６及びＳ１０１において、次のサブフレームにおいて、再び、ＵＬ-ＳＣＨが割り当てられているかについて確認する。
【００５５】
また、カウンタの値が、所定回数（Ｎ）と同じでない場合（すなわち、所定回数（Ｎ）より小さい場合）であっても、ステップＳ１０７において、他の「Ｂｕｆｆｅｒ  Ｓｔａｔｕｓ  Ｒｅｐｏｒｔ」の送信契機によって、「Ｂｕｆｆｅｒ  Ｓｔａｔｕｓ  Ｒｅｐｏｒｔ」を送信する必要がある場合には、移動局ＵＥは、ステップＳ１０４において、割り当てられたＵＬ-ＳＣＨを用いて、「Ｂｕｆｆｅｒ  Ｓｔａｔｕｓ  Ｒｅｐｏｒｔ」を、上りユーザデータと共に、無線基地局ｅＮＢに向けて送信し、ステップＳ１０５において、カウンタの値をゼロに設定してから、ステップＳ１０６及びＳ１０１において、次のサブフレームにおいて、再び、ＵＬ-ＳＣＨが割り当てられているかについて確認する。
【００５６】
なお、他の「Ｂｕｆｆｅｒ  Ｓｔａｔｕｓ  Ｒｅｐｏｒｔ」の送信契機としては、以下のタイミングが考えられる。
１．移動局ＵＥの送信バッファが空であった際に、新たなデータが発生したタイミング。
２．移動局ＵＥの送信バッファに、それまで滞留されていたデータが属する論理チャネルよりも優先度の高い論理チャネルのデータが新たに発生したタイミング。
３．無線基地局ｅＮＢにより割り当てられた上り無線リソースによって、全てのデータを送信できた上に「Ｓｃｈｅｄｕｌｉｎｇ  Ｉｎｆｏｒｍａｔｉｏｎ」も送信できるタイミング。
【００５７】
最終的に、移動局ＵＥは、図２に示すフローチャートの制御に従うことで、最後に「Ｂｕｆｆｅｒ  Ｓｔａｔｕｓ  Ｒｅｐｏｒｔ」を送信してから、Ｎ回目にＵＬ-ＳＣＨが割り当てられるサブフレームにおいて、「Ｂｕｆｆｅｒ  Ｓｔａｔｕｓ  Ｒｅｐｏｒｔ」を送信することになる。
【００５８】
かかるＮの値は、無線基地局ｅＮＢが移動局ＵＥに対して、レイヤ３メッセージ（ＲＲＣメッセージ）を用いて通知される。
【００５９】
無線基地局ｅＮＢが、Ｎの値を、移動局ＵＥに通知するタイミングとしては、移動局ＵＥとの通信を開始するタイミングや、移動局ＵＥとの間で新規の無線ベアラを追加で設定するタイミングや、既に設定されている無線ベアラを削除するタイミングや、ハンドオーバを実施するタイミング等が考えられる。
【００６０】
本実施形態に係る移動通信システムでは、移動局ＵＥが、無線基地局ｅＮＢからＵＬ-ＳＣＨ（上り無線リソース）を所定回数だけ割り当てられた時点で、「Ｂｕｆｆｅｒ  Ｓｔａｔｕｓ  Ｒｅｐｏｒｔ」を、かかる所定回数目に割り当てられたＵＬ-ＳＣＨを用いて送信するように構成されている。
【００６１】
したがって、本実施形態に係る移動通信システムによれば、移動局ＵＥの送信バッファにデータが滞留されている状態において、無線基地局ｅＮＢに対して、当該送信バッファにおける滞留データ量の変動を通知することができ、無線基地局ｅＮＢにおける上りスケジューラが、効率良く上り無線リソースの割当を行うことができ、また、無線基地局ｅＮＢにおける上りスケジューラが、移動局ＵＥに対して上り無線リソースを割り当てていない期間における「Ｂｕｆｆｅｒ  Ｓｔａｔｕｓ  Ｒｅｐｏｒｔ」の送信を回避することにより、上り無線リソース及び下り無線リソースの無駄を回避することができる。
【００６２】
（本発明の第２の実施形態に係る移動通信システム）
図３及び図４を参照して、本発明の第２の実施形態に係る移動通信システムについて説明する。本実施形態では、移動通信システムとして、ＬＴＥ方式の移動通信システムを例として説明するが、本発明は、ＬＴＥ方式の移動通信システム以外の移動通信システムにも適用可能である。
【００６３】
図３に示すように、本発明の第２の実施形態に係る移動通信システムでは、移動局ＵＥが、無線基地局ｅＮＢによって割り当てられる上り無線リソース（ＵＬ-ＳＣＨ）を用いて、無線基地局ｅＮＢに対して、上りデータ（上りユーザデータや「Ｂｕｆｆｅｒ  Ｓｔａｔｕｓ  Ｒｅｐｏｒｔ」等）を送信するように構成されている。
【００６４】
また、無線基地局ｅＮＢは、移動局ＵＥに対して、Ｌ１/Ｌ２  ｃｏｎｔｒｏｌ  ｃｈａｎｎｅｌ（ＵＬ  ｇｒａｎｔ）によって、ＵＬ-ＳＣＨ（上り無線リソース）の割当を通知するように構成されている。
【００６５】
また、無線基地局ｅＮＢが、移動局ＵＥに対してＵＬ-ＳＣＨ（上り無線リソース）を割り当てた場合で、かつ、割り当てられたＵＬ-ＳＣＨを通知するための無線基地局ｅＮＢから送信されたＬ１/Ｌ２  ｃｏｎｔｒｏｌ  ｃｈａｎｎｅｌ（ＵＬ  ｇｒａｎｔ）（上り無線リソース割当信号）が、当該移動局ＵＥの送信バッファに滞留されているデータ量の報告を要求している場合、当該移動局ＵＥは、割り当てられたＵＬ-ＳＣＨを用いて、当該無線基地局ｅＮＢに対して、当該移動局ＵＥの送信バッファに滞留されているデータ量を報告するように構成されている。
【００６６】
ここで、無線基地局ｅＮＢは、Ｌ１/Ｌ２  ｃｏｎｔｒｏｌ  ｃｈａｎｎｅｌ（ＵＬ  ｇｒａｎｔ）に含まれる１ビット（ＢＳＲ送信要求要否ビット）を用いて、移動局ＵＥの送信バッファに滞留されているデータ量の報告を要求するように構成されている。
【００６７】
また、Ｌ１/Ｌ２  ｃｏｎｔｒｏｌ  ｃｈａｎｎｅｌ（ＵＬ  ｇｒａｎｔ）に含まれる１ビットは、移動局ＵＥの送信バッファに滞留されているデータ量の報告を要求することを示す値（Ｂｕｆｆｅｒ  Ｓｔａｔｕｓ  Ｒｅｐｏｒｔ送信要）、又は、移動局ＵＥの送信バッファに滞留されているデータ量の報告を要求しないこと示す値（Ｂｕｆｆｅｒ  Ｓｔａｔｕｓ  Ｒｅｐｏｒｔ送信否）の２値を取り得るように構成されている。
【００６８】
次に、図４を参照して、本実施形態に係る移動通信システムにおける移動局ＵＥの動作について説明する。
【００６９】
図４に示すように、ステップＳ２０１において、移動局ＵＥは、サブフレーム毎に、ＵＬ-ＳＣＨ（上り無線リソース）の割当があるか否かについて確認し、ＵＬ-ＳＣＨの割当があると判断した場合は、図４に示すフローチャートに基づいて、無線基地局ｅＮＢによって割り当てられたＵＬ-ＳＣＨを用いて、「Ｂｕｆｆｅｒ  Ｓｔａｔｕｓ  Ｒｅｐｏｒｔ」を送信するか否かについて判断する。
【００７０】
ステップＳ２０２において、移動局ＵＥは、所定サブフレームにおいて、Ｌ１/Ｌ２  ｃｏｎｔｒｏｌ  ｃｈａｎｎｅｌ（ＵＬ  ｇｒａｎｔ）によってＵＬ-ＳＣＨが割り当てられている場合、かかるＬ１/Ｌ２  ｃｏｎｔｒｏｌ  ｃｈａｎｎｅｌ（ＵＬ  ｇｒａｎｔ）に含まれている「ＢＳＲ（Ｂｕｆｆｅｒ  Ｓｔａｔｕｓ  Ｒｅｐｏｒｔ）送信要求要否ビット」の値を確認する。
【００７１】
かかる「ＢＳＲ送信要求要否ビット」の値が、「Ｂｕｆｆｅｒ  Ｓｔａｔｕｓ  Ｒｅｐｏｒｔ送信要」である場合、移動局ＵＥは、ステップＳ２０３において、割り当てられたＵＬ-ＳＣＨを用いて、「Ｂｕｆｆｅｒ  Ｓｔａｔｕｓ  Ｒｅｐｏｒｔ」を、上りユーザデータと共に無線基地局ｅＮＢに向けて送信する。
【００７２】
なお、移動局ＵＥは、割り当てられたＵＬ-ＳＣＨを用いて、上りユーザデータを送信できない場合は、「Ｂｕｆｆｅｒ  Ｓｔａｔｕｓ  Ｒｅｐｏｒｔ」のみを送信する。
【００７３】
「Ｂｕｆｆｅｒ  Ｓｔａｔｕｓ  Ｒｅｐｏｒｔ」の送信が完了した後、移動局ＵＥは、ステップＳ２０４及びＳ２０１において、次のサブフレームにおいて、再び、ＵＬ-ＳＣＨが割り当てられているかについて確認する。
【００７４】
一方、かかる「ＢＳＲ送信要求要否ビット」の値が「Ｂｕｆｆｅｒ  Ｓｔａｔｕｓ  Ｒｅｐｏｒｔ送信否」である場合、ステップＳ２０５において、他の「Ｂｕｆｆｅｒ  Ｓｔａｔｕｓ  Ｒｅｐｏｒｔ」の送信契機を迎えていなければ、移動局ＵＥは、ステップＳ２０６において、割り当てられたＵＬ-ＳＣＨを用いて、上りユーザデータのみを送信し、ステップＳ２０４及びＳ２０１において、次のサブフレームにおいて、再び、ＵＬ-ＳＣＨが割り当てられているかについて確認する。
【００７５】
また、かかる「ＢＳＲ送信要求要否ビット」の値が「Ｂｕｆｆｅｒ  Ｓｔａｔｕｓ  Ｒｅｐｏｒｔ送信否」である場合でも、ステップＳ２０５において、他の「Ｂｕｆｆｅｒ  Ｓｔａｔｕｓ  Ｒｅｐｏｒｔ」の送信契機によって、「Ｂｕｆｆｅｒ  Ｓｔａｔｕｓ  Ｒｅｐｏｒｔ」を送信する必要がある場合には、移動局ＵＥは、ステップＳ２０３において、割り当てられたＵＬ-ＳＣＨを用いて、「Ｂｕｆｆｅｒ  Ｓｔａｔｕｓ  Ｒｅｐｏｒｔ」を、上りユーザデータと共に、無線基地局ｅＮＢに向けて送信し、ステップＳ２０４及びＳ２０１において、次のサブフレームにおいて、再び、ＵＬ-ＳＣＨが割り当てられているかについて確認する。
【００７６】
なお、他の「Ｂｕｆｆｅｒ  Ｓｔａｔｕｓ  Ｒｅｐｏｒｔ」の送信契機としては、以下のタイミングが考えられる。
１．移動局ＵＥの送信バッファが空であった際に、新たなデータが発生したタイミング。
２．移動局ＵＥの送信バッファに、それまで滞留されていたデータが属する論理チャネルよりも優先度の高い論理チャネルのデータが新たに発生したタイミング。
３．無線基地局ｅＮＢにより割り当てられた上り無線リソースによって、全てのデータを送信できた上に「Ｓｃｈｅｄｕｌｉｎｇ  Ｉｎｆｏｒｍａｔｉｏｎ」も送信できるタイミング。
【００７７】
本実施形態に係る移動通信システムでは、無線基地局ｅＮＢが、割り当てられたＵＬ-ＳＣＨ（上り無線リソース）を移動局ＵＥに通知するために用いる上り無線リソース割当信号（Ｌ１/Ｌ２  ｃｏｎｔｒｏｌ  ｃｈａｎｎｅｌ（ＵＬ  ｇｒａｎｔ））に「ＢＳＲ送信要求要否ビット」を含め、かかる「ＢＳＲ送信要求要否ビット」が「Ｂｕｆｆｅｒ  Ｓｔａｔｕｓ  Ｒｅｐｏｒｔ」の送信を要求することを示す場合に、「Ｂｕｆｆｅｒ  Ｓｔａｔｕｓ  Ｒｅｐｏｒｔ」を、かかる「Ｂｕｆｆｅｒ  Ｓｔａｔｕｓ  Ｒｅｐｏｒｔ」の送信を要求している上り無線リソース割当信号（Ｌ１/Ｌ２  ｃｏｎｔｒｏｌ  ｃｈａｎｎｅｌ（ＵＬ  ｇｒａｎｔ））によって割り当てられたＵＬ-ＳＣＨを用いて送信するように構成されている。
【００７８】
したがって、本実施形態に係る移動通信システムによれば、移動局ＵＥの送信バッファにデータが滞留されている状態において、当該送信バッファにおける滞留データ量の変動を無線基地局ｅＮＢに通知することを可能とし、無線基地局ｅＮＢにおける上りスケジューラが効率良く上り無線リソースの割当を行えるようにし、無線基地局ｅＮＢにおける上りスケジューラが移動局ＵＥに対して上り無線リソースを割り当てていない期間における「Ｂｕｆｆｅｒ  Ｓｔａｔｕｓ  Ｒｅｐｏｒｔ」の送信を回避することにより、上り無線リソース及び下し無線リソースの無駄を回避することができる。
【００７９】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８３】
【図１】本発明の第１の実施形態に係る移動通信システムの全体構成図である。
【図２】本発明の第１の実施形態に係る移動通信システムの動作を示すフローチャートである。
【図３】本発明の第１の実施形態に係る移動通信システムの全体構成図である。
【図４】本発明の第１の実施形態に係る移動通信システムの動作を示すフローチャートである。
【符号の説明】
【００８４】
ＵＥ…移動局
ｅＮＢ…無線基地局
【図１】
0005052258.tif 000002
【図２】
0005052258.tif 000003
【図３】
0005052258.tif 000004
【図４】
0005052258.tif 000005